(57)【要約】  プリントは、被印刷物及び被印刷物に結合された複数のメモリタグを有する。プリントは複数の画像を含むインデックスプリントであり、メモリタグが各画像に関連付けられ、その画像に関連するデータを記憶する。このようなプリントの形成に適したプリント媒体は、プリント可能面を有する被印刷物及び被印刷物のエリア上の離間位置において被印刷物に結合された複数のメモリタグを有する。別法として、メモリタグを、プリントされたプリント媒体に付着させることができる。関連する記憶データとともにプリント画像を提供する方法を記載する。【選択図】図１
2007500860.tif 000002
【特許請求の範囲】
【請求項１】
被印刷物及び該被印刷物に結合された複数のメモリタグを有するプリントであって、該プリントは複数の画像を含むインデックスプリントであり、前記メモリタグは、前記画像の少なくともいくつかが関連付けられて前記画像のそれぞれに関連するデータを記憶する、プリント。
【請求項２】
各画像毎にどのデータが関連するメモリタグに記憶されているかに関して、前記画像が低解像度でプリントされ、該画像に関連するデータは高解像度の前記画像を含む、請求項１に記載のプリント。
【請求項３】
各画像毎にどのデータが関連するメモリタグに記憶されているかに関して、前記画像に関連するデータは、該画像の初期作成についての情報を含んでいる、請求項１に記載のプリント。
【請求項４】
各画像毎にどのデータが関連するメモリタグに記憶されているかに関して、前記画像に関連するデータは、該画像の内容についての情報を含んでいる、請求項１に記載のプリント。
【請求項５】
各画像毎にどのデータが関連するメモリタグに記憶されているかに関して、前記画像に関連するメモリタグは、該各画像に隣接して前記被印刷物上に配置される、請求項１に記載のプリント。
【請求項６】
前記被印刷物は複数の画像エリアに分割され、該各エリアには単一の画像がプリントされ、関連するメモリタグが設けられる、請求項１に記載のプリント。
【請求項７】
前記各メモリタグは前記各画像エリア内の同じ場所に配置される、請求項６に記載のプリント。
【請求項８】
前記各メモリタグは前記各画像に関して同じ場所に配置される、請求項６に記載のプリント。
【請求項９】
前記プリント上の前記画像のすべてに関するデータを記憶するためのメモリタグをさらに備えている、請求項１に記載のプリント。
【請求項１０】
前記各メモリタグの位置にアイコンを備えている、請求項１に記載のプリント。
【請求項１１】
前記各メモリタグは、誘導により給電され、該メモリタグに記憶されているデータを送信するようになっている、請求項１に記載のプリント。
【請求項１２】
プリント可能な表面を有する被印刷物と、該被印刷物のエリア上の離間位置において該被印刷物に結合された複数のメモリタグと、を備えている、関連するデータ記憶装置を有するプリント媒体。
【請求項１３】
前記各メモリタグは、誘導により給電され、書き込まれるデータを受信するようになっている、請求項１２に記載のプリント媒体。
【請求項１４】
前記被印刷物は複数の画像エリアに分割され、前記メモリタグは各画像エリアに配置されている、請求項１２に記載のプリント媒体。
【請求項１５】
前記画像エリアは規則正しい格子を形成し、前記各メモリタグは、配置される前記画像エリアに関して同じ位置に配置される、請求項１４に記載のプリント媒体。
【請求項１６】
前記画像エリアは規則正しい格子を形成し、前記メモリタグは前記画像エリア内の異なる位置に配置されている、請求項１４に記載のプリント媒体。
【請求項１７】
複数の画像に関するデータをプリント媒体に記憶する方法であって、該プリント媒体は、被印刷物及び該被印刷物のエリア上の離間位置において該被印刷物に結合された複数のメモリタグを備え、該方法は、
複数の可視画像を前記メモリタグにそれぞれ隣接して前記被印刷物にプリントするステップと、
前記画像の少なくともいくつかに関して、前記各画像に関連するデータを隣接する前記メモリタグに記憶するステップと、
を含む、方法。
【請求項１８】
複数の画像に関するデータを記憶する方法であって、
複数の可視画像を被印刷物にプリントするステップと、
メモリタグを前記被印刷物に、前記画像の少なくともいくつかに隣接して付着させるステップと、
前記メモリタグが隣接して付着された前記各画像毎に、該画像に関連するデータを隣接する前記メモリタグに記憶するステップと、
を含む、方法。
【請求項１９】
前記メモリタグは、前記データが該メモリタグに記憶される前に前記被印刷物に付着される、請求項１８に記載の方法。
【請求項２０】
前記データは、前記メモリタグが前記被印刷物に付着される前に前記メモリタグに記憶される、請求項１８に記載の方法。
【発明の詳細な説明】
【技術分野】
【０００１】
本発明は、データ記憶装置が各画像に関連して取り付けられる複数の画像のプリントに関する。また、このようなプリントのためのプリント媒体の提供及び複数の画像に関連するデータをプリント媒体に記憶する方法にも関する。本発明は特に写真画像との併用に有利であるが、このような用途に限定されない。
【背景技術】
【０００２】
デジタル写真の出現前には、大半の写真画像はネガ及び／又は画像プリントとして記憶されていた。画像ライブラリの整備を補助するために、フィルムからの各写真の小型プリントを含むインデックスプリントを単一シート上に構成したものがしばしば生成された。デジタル写真の出現に伴い、また写真をスキャンして、従来の方法を使用して撮影された場合であっても電子的に記憶することができることに伴い、記憶オプションが劇的に増えた。
【０００３】
多くの場合、写真の全ライブラリは単にコンピュータのハードディスクに記憶されるが、フロッピー（登録商標）ディスク又はＣＤ等のリムーバブル記憶媒体に記憶される場合もある。しかし、これは多くの場合、特にフロッピー（登録商標）ディスクが使用される場合に非常に多くの数のリムーバブル記憶媒体を意味し、またユーザが特定の画像を見つけてそのコピーをプリントしたい場合、特定の画像を見つけることが問題になり得る。記憶画像ファイルの位置を提供する、ライブラリに関連するインデックスプリントの集まりがある場合、少なくとも、正しい位置に進んで画像をプリントするだけの問題である。しかし、多くの場合、画像プリントは作成されておらず、ユーザは記憶画像に目を通して（最も上手い具合には、適切なソフトウェアを使用して記憶画像のスライドショーを実行させて）、どれが必要であるかを特定する必要がある。
【０００４】
すでに述べられている、記録されているデジタル画像と併用する一手法は、画像のサムネイル及び関連する選択欄を含むインデックスシートを提供するというものである。選択欄に手作業で印を付けた後、印の付いたインデックスシートをスキャンして、関連するサムネイルに対して適切な動作（プリント、記憶、検索等）を行わせる。したがって、インデックスシートは、他の場所に記憶されている電子データに効率的にアクセスできるようにするインタフェースである。
【発明の開示】
【発明が解決しようとする課題】
【０００５】
ユーザ要件の幅により良く対応した、写真画像等の画像を記憶し且つ選択する代替の方法を提供することが望ましいであろう。
【課題を解決するための手段】
【０００６】
本発明の第１の態様によれば、被印刷物（substrate）及び被印刷物に結合された複数のメモリタグを有するプリントであって、このプリントは複数の画像を含むインデックスプリントであり、メモリタグには画像の少なくともいくつかが関連付けられ、画像のそれぞれに関連するデータを記憶する、プリントが提供される。
【０００７】
メモリタグは、用紙等の物理的なアイテムに容易に配置又は関連付けることができるフォームファクタの受動電子メモリとして大体説明することができる。メモリタグの一形態は、無線周波識別（ＲＦＩＤ）タグである。ＲＦＩＤタグには多くの形態があるが、すべて、使用に際して情報を記憶することができるメモリ、及び誘導性（無線）リンクにより回路に給電もするリーダによる呼び掛けを可能にするコイルを含む集積回路を備える。この一般的なタイプのメモリタグは本発明の実施に特に適しているが、他の形態のメモリタグ（従来のメモリ回路を備え、メモリ回路の接点がユーザリーダに接触したときに回路が形成され、回路を完成させて回路に給電するタグ等）を採用することも可能であることに留意されたい。
【０００８】
各画像毎にどのデータが記憶されているかに関して、画像は低解像度でプリントすることができ、画像に関連するデータは高解像度の画像を含むことができる。
【０００９】
各画像毎にどのデータが記憶されているかに関して、画像に関連するデータは、画像の初期作成についての情報及び／又は画像の内容についての情報を含むことができる。
【００１０】
各画像毎にどのデータが記憶されているかに関して、画像に関連するメモリタグは、好ましくは、各画像に隣接して被印刷物に配置される。
【００１１】
都合のよいことに、被印刷物は、それぞれ単一の画像がプリントされ、関連するメモリタグが設けられる複数の画像エリアに分割される。各メモリタグは各画像エリア内の同じ位置に配置されてもよく、又は各画像に関して同じ位置に配置されてもよい。
【００１２】
プリントは、プリント上のすべての画像に関するデータを記憶するためのさらなるメモリタグをさらに備えることができる。
【００１３】
好ましくは、プリントは各メモリタグの位置にアイコンを備える。
【００１４】
本発明の第２の態様によれば、関連するデータ記憶装置を有するプリント媒体であって、このプリント媒体は、プリント可能な表面を有する被印刷物と、被印刷物のエリア上の離間位置において被印刷物に結合された複数のメモリタグと、を備えるプリント媒体が提供される。
【００１５】
メモリタグが誘導により給電されてデータをメモリタグに書き込ませることが好ましい。
【００１６】
被印刷物は、好ましくは、複数の画像エリアに分割され、メモリタグを各画像エリアに配置することができる。
【００１７】
画像エリアは規則正しい格子を形成することができ、各メモリタグは、それが配置されている画像エリアに関して同じ位置に配置される。別法として、画像エリアは規則正しい格子を形成することができ、メモリタグは画像エリア内の異なる位置に配置される。
【００１８】
本発明の第３の態様によれば、複数の画像に関するデータをプリント記憶媒体に記憶する方法であって、このプリント記憶媒体は被印刷物及び被印刷物のエリア上の離間位置において結合された複数のメモリタグを備え、
複数の可視画像をメモリタグにそれぞれ隣接して被印刷物にプリントするステップと、
画像の少なくともいくつかに関して、各画像に関連するデータを隣接するメモリタグに記憶するステップと、
を含む、方法が提供される。
【００１９】
本発明の第４の態様によれば、複数の画像に関するデータを記憶する方法であって、この方法は、
複数の可視画像を被印刷物にプリントするステップと、
メモリタグを被印刷物に、各画像に隣接して付着させるステップと、
メモリタグが隣接して付着された各画像毎に、画像に関連するデータを隣接するメモリタグに記憶するステップと、
を含む方法が提供される。
【００２０】
データをメモリタグに記憶する前にメモリタグを被印刷物に付着してもよく、又はメモリタグを被印刷物に付着させる前にデータをメモリタグに記憶してもよい。
【００２１】
本発明の例について、添付図面を参照しながら例としてのみこれより説明する。
【発明を実施するための最良の形態】
【００２２】
（好適な実施形態の詳細な説明）
図１を参照して、被印刷物（substrate）１２上に複数の画像Ｉを含むプリント１０を概略的に示す。被印刷物１２のエリアは表面上、鎖線で示すように画像エリアＡ及び辺縁Ｂに分割される。各画像エリアＡに画像Ｉをプリントすることができ、この場合、エリアＡ1〜Ａ11に画像Ｉ1〜Ｉ11がそれぞれあり、エリアＡ12〜Ａ15には画像がプリントされておらず、ブランクのままである。画像Ｉは特定のサイズ又は相対寸法のものではなく、むしろ所望に応じて様々なものであるが、すべて同じサイズであってもよい。各エリアＡ内にはメモリタグＴが配置され、メモリタグＴは被印刷物１２、この場合では各エリアＡの右上に結合されている。こうして、メモリタグＴは被印刷物１２上に規則正しい配列を形成する。
【００２３】
上で示したように、本発明の異なる実施形態に様々なメモリタグ技術を採用することができる。しかし、電磁誘導式給電（inductively powered）がなされるが従来のＲＦＩＤよりもはるかに大きなメモリである、近距離読み取りに適した、メモリタグの好ましい形態については、好ましい実施形態において後述する。
【００２４】
プリント１０は画像Ｉのインデックスプリントとして意図される。画像Ｉは低解像度で被印刷物１２にプリントされ、各画像Ｉに関連するデータが対応するメモリタグＴに記憶される。データは、好ましくは、高解像度フォーマットの画像を含み、画像が形成されたときのカメラ設定、光度等の画像に関するデータ、及び撮影場所、何についての画像であるか等の情報をさらに含むことができるが、選択された任意のデータをメモリタグＴに記憶することができる。
【００２５】
被印刷物１２及びメモリタグＴは結合されて、関連するデータ記憶装置、すなわち複数の画像に関連するデータを可視のプリントされた形態及びデジタル形態の両方で記憶するように特になっている、物理的な記憶媒体を有するプリント媒体１４を形成する。
【００２６】
もちろん、画像のいくつか又は実際にすべてを、関連するメモリタグＴにデータを書き込むことなく被印刷物１２にプリントすることも可能である。たとえば、図１に関して、Ｉ10は被印刷物１２のエリアＡ10に単にプリントされるだけであり、関連するメモリタグＴ10にデータが記憶されなくてもよい。
【００２７】
本発明及び本発明をどのように実際に用いることができるかを説明するために、メモリタグＴ及び関連する読み書き装置２０の動作についてより十分に、図２を参照してこれより手短に説明する。メモリタグＴは、アンテナコイルＬ１及びアンテナコイルＬ１に並列接続して共振回路を形成するキャパシタＣ１を備える。メモリタグは、メモリＭ及び処理・給電回路Ｐ１をさらに備える。読み書き装置２０は、アンテナコイルＬ２、アンテナコイルＬ２と並列接続して共振回路を形成するキャパシタＣ２、及び処理・信号発生回路Ｐ２を備える。
【００２８】
Ｐ２内の信号発生器は、２．４５ＧＨｚ等の選択された動作周波数で信号を発生し、これがアンテナコイルＬ２に与えられ、こうして、メモリタグＴが読み書き装置２０に十分近づけられた場合にメモリタグＴのアンテナコイルＬ１に貫入する電磁場が発生する。誘導により、こうしてアンテナコイルＬ１に電圧が発生し、これは回路Ｐ１において整流され、メモリタグＴの給電に用いられる。キャパシタＣ１及びＣ２の静電容量は、送信信号強度及び受信信号を最大にするために、共振回路が両方とも、信号発生器により発生する周波数で共振するようなものが選択される。
【００２９】
データを読み書き装置２０によりメモリタグＴに書き込む場合、Ｐ２において発生した無線周波信号が、アンテナコイルＬ２に与えられて送信される前にデータで変調、たとえば振幅変調される。したがって、誘導結合によりメモリタグＴが受信する信号は、メモリタグＴを給電するとともにメモリタグＴと通信し、回路Ｐ１は搬送波からデータ信号を分離し、記憶のためにデータをメモリＭに渡す。
【００３０】
同様に、データをメモリタグＴから読み出す場合、回路Ｐ１はデータを表す信号をアンテナコイルＬ１に与え、これは誘導結合によりアンテナコイルＬ２によって検出され、回路Ｐ２において解読されてから読み書き装置２０からメインプロセッサ又は代替の記憶装置（図示せず）に渡される。この信号は、たとえば、負荷変調を用いて送信することができる。このようなＲＦＩＤシステムでは、メモリタグＴが消費する電力は、読み書き装置２０のアンテナコイルＬ２の内部抵抗の両端の電圧降下として測ることができる。回路Ｐ１内の負荷抵抗はオンオフ切り替え可能であり、そうしてメモリタグＴが消費する電力を変更させ、次いでこれが、読み書き装置２０のアンテナコイルＬ２の両端の電圧の振幅変調として検出される。
【００３１】
ＲＦＩＤタグの動作に関してさらに詳しくは、ＲＦＩＤ  Ｈａｎｄｂｏｏｋ，  Ｋｌａｕｓ  Ｆｉｎｋｅｎｚｅｌｌｅｒ，  １９９９，  Ｊｏｈｎ  Ｗｉｌｅｙ  ＆  Ｓｏｎｓを参照されたい。
【００３２】
したがって、メモリタグＴとの通信が読み書き装置２０を介することが理解されよう。読み書き装置２０は多くの形態をとることができるが、コンピュータに接続されるハンドヘルドペン型の装置であってもよく、又はプリンタ等の他の機器に内蔵してもよい。例について以下考察する。
【００３３】
メモリタグ読み書き装置２０が設けられ、通過する用紙に予め取り付けられた、又は埋め込まれたメモリタグＴに対して読み出し又は書き込みを行うことができるプリンタが、ＥＰ−Ａ−１４２２６５６に記載されている。プリンタについては本明細書において詳細に説明しないが、図３を参照して非常に短く説明している。
【００３４】
プリンタ３０は、メインプロセッサ３２、プリントヘッド３４、読み書き装置２０、及びプリントヘッド３４及び読み書き装置２０の移動を制御するメカニクスコントローラ３６、並びに給紙ローラ（図示せず）等の他の構成要素を備える。プリンタ３０はコンピュータ３８に接続される。プリンタ３０はコンピュータ３８及びメインプロセッサ３２からプリント命令を受け取り、次いで必要に応じてプリントヘッド３４、読み書き装置２０、及びメカニクスコントローラ３６に命令を発して、コンピュータ３８からの命令を実施する。このようなプリンタ３０を用いて、プリント１０を非常に単純に以下のように生成することができる。
【００３５】
プリント媒体１４がプリンタ３０に供給され、コンピュータ３８により、低解像度画像Ｉ1〜Ｉ11を被印刷物１２の画像エリアＡ1〜Ａ11にプリントし、画像Ｉ1〜Ｉ11の高解像度画像データをメモリタグＴ1〜Ｔ11に書き込む命令が発せられる。プリンタ３０は、特定の形態のプリント媒体１４に合わせてセットアップすることができ、したがってメモリタグＴの位置を知っている場合もあれば、又はプリント開始前若しくは進行する際にメモリタグＴの位置を検出する必要がある場合もある。次いで、プリンタ３０のメインプロセッサ３２はプリンタ３０を通してプリント媒体１４を移動させ、プリントヘッド３２及び読み書き装置２０を必要に応じて移動させ、プリントヘッド３２にプリントするように、且つ読み書き装置２０に適宜書き込んで所望の目的を達成するように命令する。
【００３６】
これより図４を参照して、代替の形態のプリント４０を概略的に示す。プリント１０と同様に、プリント４０は、鎖線で示す画像エリアＡ及び辺縁Ｂに表面上分割された被印刷物４２上に複数の画像Ｉを含む。各エリアＡに画像Ｉをプリントすることができ、この場合、エリアＡ1'〜Ａ4'、Ａ6'〜Ａ8'、Ａ10'〜Ａ12'、及びＡ14'〜Ａ16'に画像Ｉ1'〜Ｉ4'、Ｉ6'〜Ｉ8'、Ｉ10'〜Ｉ12'、及びＩ14'〜Ｉ16'がそれぞれあり、エリアＡ5'、Ａ9'、及びＡ13'に画像はなく、ブランクのままである。画像を含むエリア内にはそれぞれメモリタグＴがある。しかし、これらは、配置されているエリアＡに関して同じ位置にすべて配置されているわけではなく、むしろ関連する画像Ｉに関して同じ位置に配置されている。すなわち、メモリタグＴはすべて各画像Ｉの右下に配置され、したがってエリアＡ内のメモリタグＴの位置は、画像Ｉが肖像画書式であるかそれとも風景画書式であるかに応じて関わる画像Ｉの向きに依存する。
【００３７】
この実施形態では、画像のないエリアはメモリタグＴを含まない。しかし、関わる画像に関連するデータをいずれも記憶する必要がない場合、メモリタグＴを各エリアに付着させることなく画像をエリアＡにプリントすることができることを理解されたい。
【００３８】
被印刷物４２及びメモリタグＴは、プリント媒体１４に関して上述したように、関連するデータ記憶装置を有するプリント媒体４４から結合される。
【００３９】
メモリタグ読み書き装置２０が設けられ、通過する用紙に予め取り付けられた、又は埋め込まれたメモリタグＴに対して読み出し又は書き込みを行うことができ、且つ通過する用紙にメモリタグを配置することもできるプリンタが、ＥＰ−Ａ−１４２２０６８に記載されている。プリンタは図３を参照して上述した方法とよく似た方法で動作するが、メモリタグに書き込みしてからそれらを用紙に配置する、又はメモリタグを用紙に配置してからそれらに書き込むこともできる追加特徴を有する。
【００４０】
このようなプリンタ及びメモリタグプレイサ（placer）は、メモリタグＴの位置が関連する画像Ｉの向きに依存するプリント４０の生成に適する。これは、プリンタに供給されれば、プリンタを通過する間に各種画像がプリントされるとともに、関連データが書き込まれるメモリタグＴが適切な位置に付着される普通の用紙である。
【００４１】
本発明によるプリントへのさらなる変更は、図４に示すように被印刷物の辺縁内に配置されるメモリタグＴBを設けることである。このメモリタグＴBは、都合のよいことに、インデックスプリント４０上の画像Ｉのリスト等のインデックスプリント４０全体に関するデータ、及び適切であればメモリタグＴの位置を含むプリント４０上のそれぞれの位置を記憶する。
【００４２】
都合のよいことに、本発明によるプリントのすべての実施形態では、プリントのユーザがメモリタグＴからデータを読み取ろうとするときにメモリタグＴを容易に見つけることができるように、可視アイコンが各メモリタグＴの位置にプリントされる。これは、一般に、必要に応じてデータを読み出す前にメモリタグＴを求めてスキャンし、それによってメモリタグＴを検出することができる大型機器にプリントを通すことによりデータが読み取られるのではなく、ユーザがハンドヘルドリーダを使用している場合に特に有益である。
【００４３】
明らかに、本発明によるプリントの他の形態を、プリント画像Ｉ及びメモリタグＴの相対位置を変形させて、またメモリタグＴに記憶されるデータの形態を変形させて形成することが可能である。上に示したように、異なるタイプのメモリタグを採用することも可能である。
【図面の簡単な説明】
【００４４】
【図１】本発明によるプリントの第１の実施形態を概略的に示す図である。
【図２】本発明において、及び読み書き装置において使用されるメモリタグを概略的に示す図である。
【図３】本発明によるプリントの作成に使用することができるプリンタ及びタグリーダ／ライタを概略的に示す図である。
【図４】本発明によるプリントの第２の実施形態を概略的に示す図である。
【符号の説明】
【００４５】
１０：プリント
１２：被印刷物
１４：プリント媒体
Ａ1〜Ａ15：エリア
Ｂ：辺縁
Ｉ1〜Ｉ11：画像
Ｔ1〜Ｔ15：メモリタグ
【図１】
2007500860.tif 000003
【図２】
2007500860.tif 000004
【図３】
2007500860.tif 000005
【図４】
2007500860.tif 000006
【国際調査報告】
2007500860.tif 000007
2007500860.tif 000008
2007500860.tif 000009